(57)【要約】【課題】外観面で良好に蛍光ランプの最冷点の温度上昇を抑えてランプ光束を向上できる照明器具を提供する。【解決手段】照明器具１０は、下方が開口された器具本体１１と、器具本体１１の内側に取り付けられる反射板２２と、反射板２２の内側に収容される蛍光ランプ１２とを備え、反射板２２は、その下面と蛍光ランプ１２との間であって、蛍光ランプ１２の先端部２５の近傍に熱対流防止用の遮熱板３１を設ける。【選択図】図２
2012089428.tif 000002
【特許請求の範囲】
【請求項１】
下方が開口された器具本体と、
前記器具本体の内側に取り付けられる反射板と、
前記反射板の内側に収容される蛍光ランプとを備え、
前記反射板は、その下面と前記蛍光ランプとの間であって、前記蛍光ランプの先端部の近傍に熱対流防止用の遮熱板を設ける照明器具。
【請求項２】
請求項１に記載の照明器具において、
前記遮熱板は、前記蛍光ランプの着脱を誘導可能である照明器具。
【請求項３】
請求項１または請求項２に記載の照明器具において、
前記遮熱板は、前記蛍光ランプとの間に隙間を設ける照明器具。
【発明の詳細な説明】
【技術分野】
【０００１】
本発明は、蛍光ランプを用いてデスクスタンドに適用される照明器具に関する。
【背景技術】
【０００２】
従来より、器具本体に収容された反射板の端板にランプ挿通孔が形成され、ランプ挿通孔に蛍光ランプの先端部を挿通させた照明器具が知られている（例えば、特許文献１参照）。
特許文献１に記載の照明器具は、反射板による反射光が端板の外側の蛍光ランプの先端部に照射されないので、蛍光ランプの最冷点の温度上昇を抑えて光束の低下を抑制できる。
【先行技術文献】
【特許文献】
【０００３】
【特許文献１】特開平１１−３６１５号公報（図１、請求項１）
【発明の概要】
【発明が解決しようとする課題】
【０００４】
しかし、前述した特許文献１に記載された照明器具は、蛍光ランプの先端部が反射板の端板の外側に突出されている。
従って、前述した特許文献１に記載された照明器具は、蛍光ランプが先端部の周囲から発する光を照射対象に照射できずに光量が無駄になる。
【０００５】
ところで、前述した特許文献１に記載された照明器具と同様に、器具本体の天井面側に複数の放熱用の孔を設けて蛍光ランプの先端部の熱を放熱するようにした照明器具が提案されている。
しかし、このような従来の照明器具は、器具本体に孔を有するために外観上の面で良好とは言えない。
【０００６】
一般的に、消費電力当たりにどのくらいの明るさを引き出せるかは、エネルギー消費効率で表される。このエネルギー消費効率は、ＪＩＳにより以下の数式に定められている。
【０００７】
【数１】
2012089428.tif 000003
【０００８】
数式１により明らかなように、ランプ温度が高い状況においては、温度補正係数は低い。そのため、エネルギー消費効率を上げるためには、温度補正係数を上げる必要がある。
図４に示すように、ランプ最冷点温度と温度補正係数との関係により明らかなように、温度補正係数を上げるためには、ランプ最冷点温度を下げる必要がある。
【０００９】
本発明は、前述した課題を解決するためになされたものであり、その目的は、外観面で良好に蛍光ランプの最冷点の温度上昇を抑えてランプ光束を向上できる照明器具を提供することにある。
【課題を解決するための手段】
【００１０】
本発明に係る照明器具は、下方が開口された器具本体と、前記器具本体の内側に取り付けられる反射板と、前記反射板の内側に収容される蛍光ランプとを備え、前記反射板は、その下面と前記蛍光ランプとの間であって、前記蛍光ランプの先端部の近傍に熱対流防止用の遮熱板を設ける。
【００１１】
本発明に係る照明器具は、前記遮熱板は、前記蛍光ランプの着脱を誘導可能である。
【００１２】
本発明に係る照明器具は、前記遮熱板は、前記蛍光ランプとの間に隙間を設ける。
【発明の効果】
【００１３】
本発明に係る照明器具によれば、外観面で良好に蛍光ランプの最冷点の温度上昇を抑えてランプ光束を向上できるという効果を奏する。
【図面の簡単な説明】
【００１４】
【図１】本発明に係る一実施形態の照明器具の外観斜視図
【図２】本発明に係る一実施形態の照明器具の垂直断面図
【図３】本発明に係る一実施形態の照明器具の反射板周りの斜め下方から視た外観斜視図
【図４】照明器具におけるランプ最冷点温度と温度補正係数との関係図
【発明を実施するための形態】
【００１５】
以下、本発明に係る一実施形態の照明器具について図面を参照して説明する。
図１に示すように、本発明に係る一実施形態の照明器具１０は、下方が開口された器具本体１１と、器具本体１１に収容される片口金蛍光ランプ１２と、片口金蛍光ランプ１２の照射方向を変更させるためのアーム１３と、不図示の点灯装置を収容してアーム１３を支持する電源タワー１４と、電源タワー１４の前面に配置されたスイッチ１５と、点灯装置に電気的に接続されて電源タワー１４から引き出された電源線１６と、電源タワー１４を支持する基台１７と、を備えるデスクスタンドである。
【００１６】
図２に示すように、器具本体１１は、金属製または硬質の樹脂製であり、下方に開口部１８を有するとともに基端部にソケット収容部１９を有し、先端部に端板２０を有する。器具本体１１は、ソケット収容部１９にソケット２１が取り付けられている。器具本体１１は、内側に反射板２２を有し、ソケット２１の反対側にランプ支持ばね２３を有する。
従って、器具本体１１は、従来のもののように、天井面側に孔を有しないために、外観面で良好である。
【００１７】
片口金蛍光ランプ１２は、片方である基端部に口金２４を有する。片口金蛍光ランプ１２は、基端部の口金２４がソケット２１に電気的に接続可能に装着され、口金２４の反対側の先端部２５側がランプ支持ばね２３に嵌め付けられることにより、器具本体１１に取り付けられる。ソケット２１は点灯装置に電気的に接続されている。
【００１８】
反射板２２は、金属製または硬質の樹脂製であって、天板２６と、一対の側板２７と、ソケット２１とは反対側に配置された端板２８とを有する。反射板２２は、下方に開口部２９を有し、一対の片口金蛍光ランプ１２を内側に収容している。端板２８は、片口金蛍光ランプ１２の先端部２５から予め定められた長さ寸法Ｌ１の空間部３０を有する。この空間部３０は、片口金蛍光ランプ１２を器具本体１１に装着する際に、片口金蛍光ランプ１２が端板２８に近接するように一旦配置されることにより、口金２４がソケット２１に装着されやすいようにする機能を有する。そして、反射板２２は、天板２６の下面と片口金蛍光ランプ１２との間であって、片口金蛍光ランプ１２の先端部２５の近傍に熱対流防止用の遮熱板３１を有する。
【００１９】
図３に示すように、遮熱板３１は、熱伝導率の低い金属製や樹脂製の予め定められた厚さ寸法を有する板部材であって、反射板２２の天板２６と一対の側板２７とにより囲まれた空間に不図示の接合手段により貼り付けられる四角形の板形状に形成された遮熱板本体３２を有する。遮熱板３１は、この遮熱板本体３２の片口金蛍光ランプ１２側に半長円形状に切除されたランプガイド３３を有する。
【００２０】
ランプガイド３３は、その内径寸法が、一対の片口金蛍光ランプ１２が形成する外径寸法よりも大きいために、一対の片口金蛍光ランプ１２の外周との間に隙間３４を有する。つまり、遮熱板３１は、一対の片口金蛍光ランプ１２に非接触に配置される。
【００２１】
照明器具１０は、片口金蛍光ランプ１２が器具本体１１に取り付けられるに際し、片口金蛍光ランプ１２の先端部２５が遮熱板３１のランプガイド３３内に一旦挿通されてから、口金２４がソケット２１に装着され、同時に、片口金蛍光ランプ１２が器具本体１１に向けて押圧されることによりランプ支持ばね２３に嵌め付けられる。
従って、片口金蛍光ランプ１２を着脱する際に、片口金蛍光ランプ１２の先端部２５側が遮熱板３１のランプガイド３３に誘導されるために、片口金蛍光ランプ１２の着脱を簡単にできる。
【００２２】
照明器具１０は、片口金蛍光ランプ１２が点灯されることにより、片口金蛍光ランプ１２の口金２４の周囲の温度が高くなる。そして、その熱が対流の作用により反射板２２の天板２６および側板２７の内側から片口金蛍光ランプ１２の先端部２５へ向けて伝わっていく。しかし、片口金蛍光ランプ１２の口金２４から伝わってきた対流の熱は、遮熱板３１により熱的に遮断されて片口金蛍光ランプ１２の先端部２５に伝わらない。
従って、片口金蛍光ランプ１２の最冷点の温度上昇が抑えられる。
【００２３】
このとき、遮熱板３１は、ランプガイド３３が隙間３４を介して一対の片口金蛍光ランプ１２に非接触に配置される。
従って、片口金蛍光ランプ１２の口金２４の周囲から片口金蛍光ランプ１２の先端部２５へ向けて対流されていく熱が遮熱板３１に伝わったとしても、対流の熱を片口金蛍光ランプ１２に伝えない。
【００２４】
以上、説明したように一実施形態の照明器具１０によれば、片口金蛍光ランプ１２の点灯時に、片口金蛍光ランプ１２の口金２４の周囲の熱が片口金蛍光ランプ１２の先端部２５に向けて対流されていく途中において、先端部２５の近傍で熱対流防止用の遮蔽板３１により熱の対流が遮断されて熱が先端部２５へ伝わらないために、片口金蛍光ランプ１２の最冷点の温度上昇を抑えてランプ光束を向上でき、エネルギー消費効率を上げられる。
【００２５】
また、一実施形態の照明器具１０によれば、片口金蛍光ランプ１２を着脱する際に、片口金蛍光ランプ１２の先端部２５側が遮熱板３１のランプガイド３３に誘導されるために、片口金蛍光ランプ１２の着脱を簡単にできる。
【００２６】
そして、一実施形態の照明器具１０によれば、遮熱板３１は、ランプガイド３３が、片口金蛍光ランプ１２に非接触に配置されるために、片口金蛍光ランプ１２の口金２４の周囲から片口金蛍光ランプ１２の先端部２５へ向けて対流されていく熱が伝わったとしても、対流の熱を片口金蛍光ランプ１２に伝えない。
【００２７】
なお、本発明の照明器具において器具本体，片口金蛍光ランプ，ソケット，ランプ支持ばね等は、前述した実施形態に限定されるものでなく、適宜な変形や改良等が可能である。
【符号の説明】
【００２８】
１０  照明器具
１１  器具本体
１２  片口金蛍光ランプ（蛍光ランプ）
２２  反射板
３１  遮熱板
３４  隙間
【図１】
2012089428.tif 000004
【図２】
2012089428.tif 000005
【図３】
2012089428.tif 000006
【図４】
2012089428.tif 000007